【事件の表示】
　特願２０１７−１３２１２４号「遊技機」拒絶査定不服審判事件〔平成２９年　９月２８日出願公開、特開２０１７−１７０２１５号〕について、次のとおり審決する。
【結　論】
　本件審判の請求は、成り立たない。
【理　由】
１　手続の経緯・本願発明
（１）手続の経緯
　本願は、平成２５年８月３０日に出願した特願２０１３−１８０５０９号の一部を平成２９年７月５日に新たな特許出願（特願２０１７−１３２１２４号）としたものであり、その手続の経緯は、概略、以下のとおりである。
　平成３０年　６月２５日付け：拒絶理由通知
　平成３０年　８月　７日　　：意見書、手続補正書の提出
　平成３０年１０月２９日付け：拒絶査定（謄本送達日：同年同月３１日）
　平成３１年　１月２４日　　：審判請求書、手続補正書の提出
　令和　１年　７月２４日付け：拒絶理由通知（以下、通知された拒絶の理由を「当審拒絶理由」という。）
　令和　１年　９月３０日　　：意見書（以下単に「意見書」という。）、手続補正書（以下、該手続補正書による補正を「本件補正」という。）の提出
（２）本願発明
　本願の請求項１に係る発明は、本件補正後の特許請求の範囲の請求項１に記載された次のとおりのものであると認める。
「Ａ　当選役に関する抽選を行う抽選手段と、
　Ｂ　複数の図柄が付されて各々が回転可能な複数のリールと、
　Ｃ　前記リールの動作を制御するリール制御手段と、
　Ｄ　前記リールが停止したときに、当該リールに付された図柄のうちの複数個の図柄を視認可能に表示する図柄表示領域が形成された図柄表示手段と、
　Ｅ　前記図柄表示領域に表示された図柄組合せに基づいて賞を付与する賞付与手段と、
　Ｆ　前記リール制御手段による前記リールの制御には、前記抽選手段による抽選で選ばれた当選役に基づく図柄組合せを前記図柄表示領域に表示可能に前記リールの回転を制御する通常制御と、前記通常制御とは異なる制御でリールの回転を制御する特殊制御とが少なくとも含まれ、
　Ｇ　前記抽選手段による抽選とは異なる抽選により前記特殊制御の実行を抽選する別抽選手段と、
　Ｈ　前記特殊制御によるリールの制御が行われている際に、所定の図柄組合せを前記図柄表示領域に表示し、遊技者に所定の特典が付与されることを教示する制御を行う特殊状態制御手段と、
　を備え、
　Ｉ　前記別抽選手段による抽選の結果が前記特殊制御を実行する特定結果である場合に、前記特殊状態制御手段によって前記所定の図柄組合せを前記図柄表示領域に表示可能に構成されており、
　Ｊ　前記抽選手段による抽選の結果が特別結果であり、且つ、前記別抽選手段による抽選の結果が前記特定結果である場合に、前記特殊制御による制御を複数の前記リールに対して行った後、前記特殊状態制御手段により遊技者に所定の特典が付与されることを教示する制御を続いて実行し、当該特殊状態制御手段による制御を終了させた後、当該特殊制御が実行された同一ゲーム内にて、複数の前記リールに対して前記通常制御による制御を前記所定の図柄組合せが前記図柄表示領域に表示されることを許容して開始し、
　Ｋ　前記特殊状態制御手段によって表示される前記所定の図柄組合せは、前記リールに対する停止操作を必要とすることなく表示されるのに対し、前記通常制御による制御で許容された前記所定の図柄組合せは、前記リールに対し適正な停止操作がなされた場合に前記図柄表示領域に表示され、
　Ｌ　前記特殊状態制御手段によって実行される特典が付与されることを教示する制御は複数回実行されえる
　Ｍ　ことを特徴とする遊技機。」（以下「本願発明」という。なお、記号ＡないしＭは、分説するため合議体が付した。）
　
２　当審拒絶理由の概要
　当審拒絶理由は、概略、次の理由を含むものである。
　（進歩性）この出願の下記の請求項に係る発明は、その出願前に日本国内又は外国において頒布された又は電気通信回線を通じて公衆に利用可能となった下記の引用例に記載された発明に基いて、その出願前にその発明の属する技術の分野における通常の知識を有する者が容易に発明をすることができたものであるから、特許法第２９条第２項の規定により特許を受けることができない。　
・請求項１
・引用例
　引用例１．特開２０１３−１３６３７号公報
３　引用例の記載及び引用発明
　当審拒絶理由で引用例１として引用され、本願の出願前に頒布され又は電気通信回線を通じて公衆に利用可能となった特開２０１３−１３６３７号公報（平成２５年１月２４日公開）（以下同じく「引用例１」という。）には、スロットマシン（発明の名称）に関し、次の事項が図とともに記載されている。なお、下線は合議体が付した。以下同じ。
（１）「【発明が解決しようとする課題】
【００１３】
　上述したように告知演出は、特定の役決定結果が得られた場合に、そのことを率直に告知する役割のものだけではなく、実際には特定の役決定結果が得られていない場合でも、特定の役決定結果が得られた可能性があることを告知し、そのことによって、特定の役決定結果が得られたかもしれないという期待感を遊技者に持たせる役割のもの（以下「チャンス告知演出」と称する）もある。
【００１４】
　このようなチャンス告知演出が行われた場合、特定の役決定結果が本当に得られたのかどうかを遊技者が自ら確認したいと思うことがある。確認したい場合には、特定の役決定結果が得られた場合に所定の位置（例えば、有効ライン上）に停止表示させることが可能となる図柄の組合せや単独の図柄（以下「特定図柄群」と称する）を、所定の位置に停止表示させることを狙って目押しするというのが従来一般的である。特定図柄群を所定の位置に停止表示させることができれば、特定の役決定結果が得られていたということであり、逆に、特定図柄群を所定の位置に停止表示させることが可能なタイミングで目押しを行ったにも関わらず、特定図柄群が所定の位置に停止表示されなかった場合には、特定の役決定結果が得られていなかったことを意味する。一方、特定の役決定結果が本当に得られたのかどうかを積極的に確認したくない場合には、特定図柄群を狙った目押しを行わなければよい。
【００１５】
　このように従来のスロットマシンでは、チャンス告知演出等の告知が行われた際に、遊技者が役決定結果の内容を確認したいと思う場合と思わない場合とによって、遊技者が選択し得る遊技態様が限られているため、チャンス告知演出等の告知が行われた際の遊技が単調なものとなるという問題があった。
【００１６】
　本発明はこのような事情に鑑みなされたもので、所定の役決定結果が得られたことに関する情報が遊技者に告知された際、遊技者が実際の役決定結果を確認するために選択し得る遊技態様を多様化することにより、告知が行われた際の遊技性を向上させることが可能なスロットマシンを提供することを目的とする。
　・・・略・・・
【発明を実施するための形態】
【００３９】
　以下、上記図面を参照して本発明の実施形態について説明する。まず、本発明の第１実施形態及び第２実施形態に共通する部分の構成について、図１及び図２を参照しながら説明する。なお、以下の説明において、「役が成立する」及び「役の成立」等と記載する場合の「成立」とは、役決定により決定された役（遊技メダルの払出しがある役（小役等の入賞役）か、払出しのない役（再遊技役やＢＢ役）かは問わない）を構成する図柄の組合せ（対応図柄）が、後述の有効ライン上に停止表示されたことを示す概念として用いている。ただし、成立のタイミングについては、例えば、役の対応図柄を有効ライン上に停止表示させることが可能なタイミングでリール停止操作が行われた時点や、役の対応図柄が有効ライン上に停止表示された時点、スロットマシンが、役の対応図柄が有効ライン上に停止表示されたことを認識した時点や、認識した結果を記憶領域に格納した時点等、適宜のタイミングとすることができる。
【００４０】
＜スロットマシンの外観＞
　第１実施形態及び第２実施形態に係る
スロットマシン１
【００４１】
　上記上パネルアセンブリ１０の中央部には、その裏面側に配された画像表示装置１１（図２参照）の表示画面１１ａが前方を臨むように配置されており、その周辺部には、第１演出ランプ１２、第２演出ランプ１３ａ，１３ｂ、第３演出ランプ１４ａ，１４ｂが配置されている。また、表示画面１１ａの下方左右には、一対の上部スピーカ１５ａ，１５ｂが配置されている。
【００４２】
　上記中パネルアセンブリ２０の中央部には、本体筐体内に
横並びに配設された３個のリール３ａ，３ｂ，３ｃの表面が臨む表示窓Ｗ
【００４３】
　上記表示窓Ｗは、３個のリール３ａ，３ｂ，３ｃが全て停止した際に、リール毎に３個の図柄、合計９個の図柄が遊技者から視認可能に表示されるように構成されている。また、
表示窓Ｗには、表示窓Ｗを横断するようにして合計５本の入賞ライン２９ａ，２９ｂ，２９ｃ，２９ｄ，２９ｅが表示可能に設けられている
各入賞ライン２９ａ，２９ｂ，２９ｃ，２９ｄ，２９ｅは、遊技に供された遊技メダル数によって有効となるライン数が変化し、最大許容投入枚数がベットされることにより、５本全てが有効となる。以下、有効となった入賞ラインを有効ラインと称する
　・・・略・・・
【００５０】
　ここで、
有効ライン上に停止表示された図柄の組合せが予め定めた入賞態様
となっている場合には、各入賞態様に対応した枚数の遊技メダルがホッパー５０により払い出される
（２）「【０１５２】
＜第２実施形態＞
　次に、主に図２６〜図４４を参照しながら、第２実施形態に係る
スロットマシン
【０１５３】
＜リールの図柄配置＞
　第２実施形態では、各リール３ａ，３ｂ，３ｃが表示する図柄が、図２６に示すように配置されている（図２６中の「左リール」、「中リール」及び「右リール」は、リール３ａ、リール３ｂ及びリール３ｃをそれぞれ表す）。すなわち、「赤セブン」、「青セブン」、「ベル」、「スイカ」、「赤チェリー」、「青チェリー」、「バー」、「リプレイ」の
各図柄が所定数ずつ各リール３ａ，３ｂ，３ｃにそれぞれ配置されている
　・・・略・・・
【０１５６】
　上記
役決定手段１０１Ａは
役抽選テーブル
に設定された複数の数値範囲の中のどの数値範囲に属するのかを判定し、取得乱数が属する数値範囲に対応した役を当選役として決定する
　・・・略・・・
【０１６３】
　上記
フリーズ実行制御手段１０５Ａ
操作手段９５Ａがリール回転開始操作を受け付けてからリール回転停止操作を受け付けるまでの間におけるリール３ａ，３ｂ，３ｃの回転状態を変更するために、上記リール制御手段１０６Ａを介してリール３ａ，３ｂ，３ｃの駆動を制御する
【０１６４】
　また、上記停止表示図柄判定手段１０７Ａにより上記第２の図柄群が有効ライン上に停止表示されたと判定された場合において、上記所定の遊技における役決定により、上記第１の役決定結果が得られていた場合と上記第２の役決定結果が得られていた場合とによって、上記所定の遊技の次の遊技において操作手段９５Ａがリール回転開始操作を受け付けてからリール回転停止操作を受け付けるまでの間におけるリール３ａ，３ｂ，３ｃの回転状態を変更するために、上記リール制御手段１０６Ａを介してリール３ａ，３ｂ，３ｃの駆動を制御するように構成されている。
【０１６５】
　上記
リール制御手段１０６Ａは
スタートレバー２５が傾動操作され、その信号が入力された際に、各リール３ａ，３ｂ，３ｃを一斉に回転開始させるとともに、ストップスイッチ２６ａ，２６ｂ，２６ｃが順次押圧操作され、それらの各信号が入力された際に、対応する各リール３ａ，３ｂ，３ｃを順次回転停止させる
　
（３）「【０２０１】
＜リール回転状態の変更＞
　また、先にも述べたように本実施形態では、上述の告知態様が決定された場合、決定された告知態様の違いにより、告知態様が決定された遊技において操作手段９５Ａがリール回転開始操作（スターレバー２５の操作信号）を受け付けてからリール回転停止操作（ストップスイッチ２６ａ，２６ｂ，２６ｃの操作信号）を受け付けるまでの間におけるリール３ａ，３ｂ，３ｃの回転状態が変更されるようになっている。
【０２０２】
　上述告知態様Ａが決定された場合には、次述するフリーズＡが実行される。この
フリーズＡは、操作手段９５Ａがリール回転開始操作
を受け付けたことを契機として開始され、全リール３ａ，３ｂ，３ｃを逆回転方向
に所定回数
回転させた後、一旦、全リールを停止させ、その後、全リールを正回転方向
に回転開始させ、全リールが定速回転に達した時点で、ストップスイッチ２６ａ〜２６ｃの操作を有効化するものである
【０２０４】
　上述した告知態様の決定と、リール回転状態の変更の対応関係を図３６に示す。図３６において、「役決定結果Ｂ７＋右第一操作」とは、ＢＢ遊技状態中の遊技における役決定により、役決定結果Ｂ７が得られ、かつ直前の遊技におけるリール回転停止操作の順序が上述の「右第一操作」であることを示している。同様に、「役決定結果Ｂ７，Ｂ８ｏｒＢ９＋左ｏｒ中第一操作」とは、ＢＢ遊技状態中の遊技における役決定により、役決定結果Ｂ７、役決定結果Ｂ８または役決定結果Ｂ９の何れかが得られ、かつ直前の遊技におけるリール回転停止操作の順序が上述の「左第一操作」または「中第一操作」であることを示している。
【０２０５】
　また、上述したように本実施形態では、ＢＢ遊技状態中に役決定結果Ｂ７、役決定結果Ｂ８または役決定結果Ｂ９の何れかが得られた場合の遊技において、第２の図柄群（小役７の対応図柄「バー・バー・バー」）が有効ライン上に停止表示された場合には、当該遊技の役決定により、第１の役決定結果（役決定結果Ｂ７）が得られていた場合と第２の役決定結果（役決定結果Ｂ８）が得られていた場合とによって、当該遊技の次の遊技において操作手段９５Ａがリール回転開始操作（スタートレバー２５の操作信号）を受け付けてからリール回転停止操作（ストップスイッチ２６ａ，２６ｂ，２６ｃの操作信号）を受け付けるまでの間におけるリール３ａ，３ｂ，３ｃの回転状態が変更されるようになっている。具体的には、次述するように、各リール３ａ，３ｂ，３ｃ上において、小役７の対応図柄「バー・バー・バー」を構成する「バー」の図柄が配置された位置から１０図柄離れた位置に、小役５の対応図柄「赤セブン・赤セブン・赤セブン」を構成する「赤セブン」の図柄が配置されていることを利用したフリーズ制御が行われる。
【０２０６】
　すなわち、
第１の役決定結果（役決定結果Ｂ７）が得られていた場合には、
フリーズＢが実行され
このフリーズＢは、操作手段９５Ａがリール回転開始操作
を受け付けたことを契機として開始され
小役７の対応図柄「バー・バー・バー」が有効ライン２９ｂ上に揃っている状態
から、全リール３ａ，３ｂ，３ｃを逆回転方向に回転開始させ
全リールを一旦停止させることにより、小役５の対応図柄「赤セブン・赤セブン・赤セブン」が有効ライン２９ｂ上に揃った状態
を遊技者に見せ
その後、全リールを正回転方向に回転開始させ
全リールが定速回転に達した時点で、ストップスイッチ２６ａ〜２６ｃの操作を有効化する
【０２０７】
　一方、第２の役決定結果（役決定結果Ｂ８）が得られていた場合には、次述するフリーズＣが実行される。このフリーズＣは、操作手段９５Ａがリール回転開始操作（スタートレバー２５の操作信号）を受け付けたことを契機として開始され、図３８に示すように、小役７の対応図柄「バー・バー・バー」が有効ライン上に揃っている状態（同図（ａ）参照）から、全リール３ａ，３ｂ，３ｃを逆回転方向に回転開始させ（同図（ｂ）参照）、リール３ａ，３ｃについては逆回転方向に所定の整数回の回転数（例えば、全リール共通で３回転）＋１１図柄分の回転量だけ回転させた後に、リール３ｂについては逆回転方向にリール３ａ，３ｃよりも１図柄分少ない回転量だけ回転させた後に、それぞれ一旦停止させることにより、リール３ａ，３ｃについては有効ライン２９ｂ上に「赤セブン」の図柄が停止表示され、リール３ｂについては有効ライン２９ｂ上に「赤セブン」の図柄が停止表示されずに、「ベル」の図柄が停止表示された状態（同図（ｃ）参照）を遊技者に見せ、その後、全リールを正回転方向に回転開始させ（同図（ｄ）参照）、全リールが定速回転に達した時点で、ストップスイッチ２６ａ〜２６ｃの操作を有効化するものである。
【０２０８】
　なお、上記フリーズＢでは、図３７（ｃ）に示すように、小役５の対応図柄
「赤セブン・赤セブン・赤セブン」が有効ライン２９ｂ上に揃った状態において
入賞ライン２９ｅ
上にも「赤セブン・赤セブン・赤セブン」が揃った状態
ダブルライン表示状態
となる
「赤セブン・赤セブン・赤セブン」を
ダブルライン表示状態で停止表示させる場合と
「赤セブン・赤セブン・赤セブン」が有効ライン２９ｂ上でのみ揃い、有効化されていない入賞ライン２９ｅ上には揃わない状態
シングルライン表示状態
で表示させる場合とを抽選等により選択し
ダブルライン表示状態が選択された場合と、シングルライン表示状態が選択された場合とで、次述するアシスト可能回数上乗せ抽選において決定されるアシスト上乗せ回数が変わるように設定
【０２０９】
＜アシスト可能回数上乗せ抽選＞
　また、本実施形態では、ＢＢ遊技状態中の遊技における役決定により役決定結果Ｂ７が得られた場合には、アシスト回数制御手段１１２Ａによりアシスト可能回数上乗せ抽選が行われる。このアシスト可能回数上乗せ抽選は、上述のアシスト可能回数の上乗せ回数を決定するものであり、本実施形態では、図４４に示すように、アシスト上乗せ回数が３０回とされる「Ｗ１」（確率は1/2）、アシスト上乗せ回数が５０回とされる「Ｗ２」（確率は1/3）、アシスト上乗せ回数が７０回とされる「Ｗ３」（確率は1/6）の３項目のうちの何れかが抽選により決定されるように設定されている。」
（４）「【図３０】
」
（５）「【図３７】
」
（６）上記（１）ないし（５）からみて、引用例１には、主に第２実施形態として、次の発明が記載されているものと認められる（なお、引用箇所の段落番号等を併記した。）。
「ａ　役抽選テーブルに設定された複数の数値範囲の中のどの数値範囲に属するのかを判定し、取得乱数が属する数値範囲に対応した役を当選役として決定する役決定手段１０１Ａ（【０１５６】）と、
　ｂ　各図柄が所定数ずつそれぞれ配置されている各リール３ａ，３ｂ，３ｃ（【０１５３】）と、
　ｃ　スタートレバー２５が傾動操作され、その信号が入力された際に、各リール３ａ，３ｂ，３ｃを一斉に回転開始させるとともに、ストップスイッチ２６ａ，２６ｂ，２６ｃが順次押圧操作され、それらの各信号が入力された際に、対応する各リール３ａ，３ｂ，３ｃを順次回転停止させるリール制御手段１０６Ａ（【０１６５】）と、
　ｄ　横並びに配設された３個のリール３ａ，３ｂ，３ｃの表面が臨む表示窓Ｗ（【００４２】）と、
　ｅ　表示窓Ｗに設けられた有効ライン上に停止表示された図柄の組合せが予め定めた入賞態様となっている場合には、各入賞態様に対応した枚数の遊技メダルを払い出すホッパー５０（【００４３】、【００５０】）と、
　ｆ　上記リール制御手段１０６Ａは、操作手段９５Ａがリール回転開始操作を受け付けてからリール回転停止操作を受け付けるまでの間におけるリール３ａ，３ｂ，３ｃの回転状態を変更し得るものであり（【０１６３】）、フリーズＡが実行される場合には、操作手段９５Ａがリール回転開始操作を受け付けたことを契機として開始され、全リール３ａ，３ｂ，３ｃを逆回転方向に所定回数回転させた後、一旦、全リールを停止させ、その後、全リールを正回転方向に回転開始させ、全リールが定速回転に達した時点で、ストップスイッチ２６ａ〜２６ｃの操作を有効化するものであり（【０２０２】）、
　ｇ、ｈ、ｉ　フリーズＢが実行される場合に、全リールを一旦停止させることにより、小役５の対応図柄「赤セブン・赤セブン・赤セブン」が有効ライン２９ｂ上に揃った状態を遊技者に見せ（【０２０６】）、「赤セブン・赤セブン・赤セブン」が揃った状態において、入賞ライン２９ｅ上にも「赤セブン・赤セブン・赤セブン」が揃った状態、すなわちダブルライン表示状態で停止表示させる場合と、「赤セブン・赤セブン・赤セブン」が有効ライン２９ｂ上でのみ揃い、有効化されていない入賞ライン２９ｅ上には揃わない状態、すなわちシングルライン表示状態で表示させる場合とを抽選により選択し、ダブルライン表示状態が選択された場合と、シングルライン表示状態が選択された場合とで、アシスト可能回数上乗せ抽選において決定されるアシスト上乗せ回数が変わるように設定する（【０２０８】）、フリーズ実行制御手段１０５Ａ（【０１６３】）と、
　を備え、
　ｊ，ｋ　第１の役決定結果（役決定結果Ｂ７）が得られていた場合には、前記フリーズＢが実行され、このフリーズＢは、操作手段９５Ａがリール回転開始操作を受け付けたことを契機として開始され、小役７の対応図柄「バー・バー・バー」が有効ライン２９ｂ上に揃っている状態から、全リール３ａ，３ｂ，３ｃを逆回転方向に回転開始させ、全リールを一旦停止させることにより、小役５の対応図柄「赤セブン・赤セブン・赤セブン」が有効ライン２９ｂ上に揃った状態を遊技者に見せ、その後、全リールを正回転方向に回転開始させ、全リールが定速回転に達した時点で、ストップスイッチ２６ａ〜２６ｃの操作を有効化する（【０２０６】）、
　ｍ　スロットマシン１（【００４０】、【０１５２】）。」（以下「引用発明」という。なお、記号ａないしｍについては、本願発明のＡないしＭに対応するように合議体が付した。）
４　対比
（１）本願発明と引用発明とを対比する。なお、以下の見出し（ａ）ないし（ｍ）は、本願発明のＡないしＭに対応させている。
　（ａ）引用発明の「役決定手段１０１Ａ」は、役抽選テーブルに設定された複数の数値範囲の中のどの数値範囲に属するのかを判定し、取得乱数が属する数値範囲に対応した役を当選役として決定するのであるから、本願発明の「当選役に関する抽選を行う抽選手段」に相当する。
　（ｂ）引用発明の「各リール３ａ，３ｂ，３ｃ」は、回転可能であることは技術常識であるとともに、各図柄が所定数ずつそれぞれ配置されているから、本願発明の「複数の図柄が付されて各々が回転可能な複数のリール」に相当する。
　（ｃ）引用発明の「リール制御手段１０６Ａ」は、スタートレバー２５が傾動操作され、その信号が入力された際に、各リール３ａ，３ｂ，３ｃを一斉に回転開始させるとともに、ストップスイッチ２６ａ，２６ｂ，２６ｃが順次押圧操作され、それらの各信号が入力された際に、対応する各リール３ａ，３ｂ，３ｃを順次回転停止させるものであるから、本願発明の「前記リールの動作を制御するリール制御手段」に相当する。
　（ｄ）引用発明の「表示窓Ｗ」は、横並びに配設された３個のリール３ａ，３ｂ，３ｃの表面が臨むものであり、リール３ａ，３ｂ，３ｃが停止したときに、リールの図柄が視認可能であることは自明であるから、本願発明の「前記リールが停止したときに、当該リールに付された図柄のうちの複数個の図柄を視認可能に表示する図柄表示領域が形成された図柄表示手段」に相当する。
　（ｅ）引用発明は、表示窓Ｗ（図柄表示手段）に設けられた有効ライン上に停止表示された図柄の組合せが予め定めた入賞態様となっている場合には、各入賞態様に対応した枚数の遊技メダルをホッパー５０により払い出すのであるから、本願発明の「前記図柄表示領域に表示された図柄組合せに基づいて賞を付与する賞付与手段」を備えることは明らかである。
　
　（ｆ）引用発明は、全リールが定速回転に達した時点で、ストップスイッチ２６ａ〜２６ｃの操作を有効化するものであり、技術常識からみて、引用発明の「リール制御手段１０６Ａ」（リール制御手段）による制御には、本願発明の「前記抽選手段による抽選で選ばれた当選役に基づく図柄組合せを前記図柄表示領域に表示可能に前記リールの回転を制御する通常制御」が含まれることは明らかである。
　また、引用発明は、リール制御手段１０６Ａ（リール制御手段）が、操作手段９５Ａがリール回転開始操作を受け付けてからリール回転停止操作を受け付けるまでの間におけるリール３ａ，３ｂ，３ｃの回転状態を変更し得るものであり、フリーズＡが実行される場合には、操作手段９５Ａがリール回転開始操作を受け付けたことを契機として開始され、全リール３ａ，３ｂ，３ｃを逆回転方向に所定回数回転させた後、一旦、全リールを停止させ、その後、全リールを正回転方向に回転開始させるものであり、技術常識からみて、通常制御とは異なる制御でリールの回転を制御しているから、引用発明の「リール制御手段１０６Ａ」（リール制御手段）による制御には、本願発明の「前記通常制御とは異なる制御でリールの回転を制御する特殊制御」が含まれることは明らかである。
　してみると、引用発明は、本願発明の「Ｆ　前記リール制御手段による前記リールの制御には、前記抽選手段による抽選で選ばれた当選役に基づく図柄組合せを前記図柄表示領域に表示可能に前記リールの回転を制御する通常制御と、前記通常制御とは異なる制御でリールの回転を制御する特殊制御とが少なくとも含まれ」との構成を備える。
　（ｇ）引用発明のｇ、ｈ、ｉでは、全リールを一旦停止させることにより、小役５の対応図柄「赤セブン・赤セブン・赤セブン」が有効ライン２９ｂ上に揃った状態（特殊制御）において、ダブルライン表示状態で停止表示させる場合と、シングルライン表示状態で表示させる場合とを抽選するものであるから、引用発明のｇ、ｈ、ｉと、本願発明の「Ｇ　前記抽選手段による抽選とは異なる抽選により前記特殊制御の実行を抽選する別抽選手段」とは、「Ｇ’前記抽選手段による抽選とは異なる抽選により前記特殊制御の実行に関して抽選する別抽選手段」を備える点で一致する。
　（ｈ）引用発明のｇ、ｈ、ｉは、フリーズＢ（特殊制御）が実行される場合に、全リールを一旦停止させることにより、小役５の対応図柄「赤セブン・赤セブン・赤セブン」（所定の図柄の組み合わせ）が有効ライン２９ｂ上に揃った状態を遊技者に見せ、アシスト上乗せ（所定の特典）を教示しているといえるから、本願発明の「前記特殊制御によるリールの制御が行われている際に、所定の図柄組合せを前記図柄表示領域に表示し、遊技者に所定の特典が付与されることを教示する制御を行う特殊状態制御手段」を備えることは明らかである。
　（ｉ）引用発明のｇ、ｈ、ｉは、全リールを一旦停止させることにより、小役５の対応図柄「赤セブン・赤セブン・赤セブン」が有効ライン２９ｂ上に揃った状態（特殊制御）において、ダブルライン表示状態で停止表示させる場合と、シングルライン表示状態で表示させる場合とを抽選するものであり、シングルライン表示状態で表示させた場合（特定結果である場合）に一つの「赤セブン・赤セブン・赤セブン」（所定の図柄の組み合わせ）を表示するから、引用発明のｇ、ｈ、ｉと、本願発明の「Ｉ　前記別抽選手段による抽選の結果が前記特殊制御を実行する特定結果である場合に、前記特殊状態制御手段によって前記所定の図柄組合せを前記図柄表示領域に表示可能に構成されて」とは、「Ｉ’前記別抽選手段による抽選の結果が特定結果である場合に、前記特殊状態制御手段によって前記所定の図柄組合せを前記図柄表示領域に表示可能に構成されて」いる点で一致する。
　（ｊ）引用発明ｊ、ｋは、第１の役決定結果（役決定結果Ｂ７）（特別結果）が得られていた場合には、フリーズＢ（特殊制御による制御）が実行され、このフリーズＢは、操作手段９５Ａがリール回転開始操作を受け付けたことを契機として開始され、全リール３ａ，３ｂ，３ｃを逆回転方向に回転開始させ、全リールを一旦停止させることにより、小役５の対応図柄「赤セブン・赤セブン・赤セブン」が有効ライン２９ｂ上に揃った状態を遊技者に見せ、アシスト上乗せ（所定の特典）を教示しているといえるから、引用発明のｊ、ｋと、本願発明の「Ｊ　前記抽選手段による抽選の結果が特別結果であり、且つ、前記別抽選手段による抽選の結果が前記特定結果である場合に、前記特殊制御による制御を複数の前記リールに対して行った後、前記特殊状態制御手段により遊技者に所定の特典が付与されることを教示する制御を続いて実行し、当該特殊状態制御手段による制御を終了させた後、当該特殊制御が実行された同一ゲーム内にて、複数の前記リールに対して前記通常制御による制御を前記所定の図柄組合せが前記図柄表示領域に表示されることを許容して開始し、」とは、「Ｊ’前記抽選手段による抽選の結果が特別結果であり、且つ、前記別抽選手段による抽選の結果が前記特定結果である場合に、前記特殊制御による制御を複数の前記リールに対して行った後、前記特殊状態制御手段により遊技者に所定の特典が付与されることを教示する制御を続いて実行し、」ている点で一致する。
　（ｋ）引用発明ｊ、ｋは、フリーズＢ（特殊制御による制御）が、全リール３ａ，３ｂ，３ｃを逆回転方向に回転開始させ、停止操作をすることなく、全リールを一旦停止させることにより、小役５の対応図柄「赤セブン・赤セブン・赤セブン」が有効ライン２９ｂ上に揃った状態を遊技者に見せているから、引用発明のｊ、ｋと、本願発明の「Ｋ　前記特殊状態制御手段によって表示される前記所定の図柄組合せは、前記リールに対する停止操作を必要とすることなく表示されるのに対し、前記通常制御による制御で許容された前記所定の図柄組合せは、前記リールに対し適正な停止操作がなされた場合に前記図柄表示領域に表示され」とは、「Ｋ’前記特殊状態制御手段によって表示される前記所定の図柄組合せは、前記リールに対する停止操作を必要とすることなく表示され」る点で一致する。
　（ｍ）引用発明の「スロットマシン」は、本願発明の「遊技機」に相当する。
　
（２）上記（１）からみて、本願発明と引用発明とは、
「Ａ　当選役に関する抽選を行う抽選手段と、
　Ｂ　複数の図柄が付されて各々が回転可能な複数のリールと、
　Ｃ　前記リールの動作を制御するリール制御手段と、
　Ｄ　前記リールが停止したときに、当該リールに付された図柄のうちの複数個の図柄を視認可能に表示する図柄表示領域が形成された図柄表示手段と、
　Ｅ　前記図柄表示領域に表示された図柄組合せに基づいて賞を付与する賞付与手段と、
　Ｆ　前記リール制御手段による前記リールの制御には、前記抽選手段による抽選で選ばれた当選役に基づく図柄組合せを前記図柄表示領域に表示可能に前記リールの回転を制御する通常制御と、前記通常制御とは異なる制御でリールの回転を制御する特殊制御とが少なくとも含まれ、
　Ｇ’前記抽選手段による抽選とは異なる抽選により前記特殊制御の実行に関して抽選する別抽選手段と、
　Ｈ　前記特殊制御によるリールの制御が行われている際に、所定の図柄組合せを前記図柄表示領域に表示し、遊技者に所定の特典が付与されることを教示する制御を行う特殊状態制御手段と、
　を備え、
　Ｉ’前記別抽選手段による抽選の結果が前記特殊制御を実行する特定結果である場合に、前記特殊状態制御手段によって前記所定の図柄組合せを前記図柄表示領域に表示可能に構成されており、
　Ｊ’前記抽選手段による抽選の結果が特別結果であり、且つ、前記別抽選手段による抽選の結果が前記特定結果である場合に、前記特殊制御による制御を複数の前記リールに対して行った後、前記特殊状態制御手段により遊技者に所定の特典が付与されることを教示する制御を続いて実行し、
　Ｋ’前記特殊状態制御手段によって表示される前記所定の図柄組合せは、前記リールに対する停止操作を必要とすることなく表示される、
　Ｍ　遊技機。」（以下「一致点」という。）の点で一致し、次の点で相違する。
　
・相違点１（特定事項Ｇ、Ｉ）
　「別抽選手段」は、
　本願発明では、「特殊制御の実行を抽選する」のに対し、
　引用発明では、ダブルライン表示状態で停止表示させる場合と、シングルライン表示状態で表示させる場合とを抽選するものであり、「特殊制御の実行を抽選する」ものとはいえない点。
・相違点２（特定事項Ｊ、Ｋ）
　「特殊状態制御手段による制御を終了させた後」の「通常制御による制御」に関し、
　本願発明では、「当該特殊状態制御手段による制御を終了させた後、当該特殊制御が実行された同一ゲーム内にて、複数の前記リールに対して前記通常制御による制御を前記所定の図柄組合せが前記図柄表示領域に表示されることを許容して開始し、」「前記通常制御による制御で許容された前記所定の図柄組合せは、前記リールに対し適正な停止操作がなされた場合に前記図柄表示領域に表示され」るのに対し、
　引用発明では、そのような特定がない点。
・相違点３（特定事項Ｌ）
　「前記特殊状態制御手段によって実行される特典が付与されることを教示する制御」（一致点の特定事項Ｊ’）の実行は、
　本願発明では、「複数回」であるのに対し、
　引用発明では、１回であり、「複数回」とはいえない点。
５　判断
（１）相違点１について
　ア　スロットマシンにおいて、フリーズ等の擬似変動遊技を実行するか否かを抽選により決定することは本願出願前に周知（以下「周知技術１」という。例．特開２０１０−１４８８４４号公報（特に「【００８１】・・・本スロットマシン１０では、各リール３２Ｌ，３２Ｍ，３２Ｒの変動を用いた擬似変動演出を実行可能な構成となっており、変動回数設定処理では、擬似変動演出の実行回数を決定する。・・・また、いずれの当選フラグもセットされていない場合に選択される変動回数テーブルは、約１％の割合で変動回数として「４」が取得され、・・・約８０％の割合で変動回数として「０」が取得されるよう、乱数と変動回数との対応関係が定められている。」との記載、図１４の記載参照。）、特開２０１１−１９４１４６号公報（特に「【００１８】　（第１の実施の形態）・・・ 図２に示すように、遊技機としてのスロットマシン10は、・・・【００４１】また、本実施の形態では、フリーズ制御手段140は、通常遊技において、役抽選手段110の抽選結果がボーナス当選（ＢＢ当選又はＲＢ当選）以外となった場合に、フリーズ状態を実行するか否かを抽選で決定するフリーズ実行抽選を行う。」との記載参照。）、特開２０１３−１５８５８４号公報（特に「【００３８】　ここで、本実施の形態における回胴演出は、回転リール40を遊技実行時の通常の回転態様と異なる態様で回転させるものであり、通常の回転速度又は加速度と異なる速度又は加速度で回転させたり、通常の回転方向と逆方向に回転させたり、振動させたりする態様を含むものである。なお、スタートスイッチ30の操作を受付けてから回転リール40が回転開始するまでの時間を通常と異なるものとし、回転リール40の回転態様そのものは通常と変わらないものとする、いわゆるフリーズ演出も、回胴演出の範疇に含めることができる。スロットマシン10としては、上記した通常の回転態様と異なる態様の回胴演出以外に、そのような回胴演出（フリーズ演出）を実行可能であってもよい。」との記載、「【００８１】・・・ 続いて、図７のステップ１０４における回胴演出決定処理について、図９のフローに基づき説明する。【００８２】 まず、図９のステップ３００において、実行抽選処理が行われ、次のステップ３０１において、実行抽選に当選したか否かが判断される。実行抽選に当選しなかった場合にはそのまま処理を終了し、実行抽選に当選した場合には、次のステップ３０２に進む。」との記載、図９の記載参照。））である。
　
　イ　引用発明と周知技術１とは、当選役に関する抽選を行う抽選手段による抽選とは異なる抽選により特殊制御の実行に関して抽選する別抽選手段を備えるスロットマシンで共通するから、周知技術１を引用発明に適用することは当業者が適宜なし得たことである。
　そして、具体的には、引用発明は、小役５の対応図柄「赤セブン・赤セブン・赤セブン」が揃った状態において、ダブルライン表示状態で停止表示させる場合と、シングルライン表示状態で表示させる場合とを抽選により選択するものであるところ、特殊制御の種類を抽選しているとはいえるものの、特殊制御の実行有無を抽選しているとはいえないものであるが、引用発明において、周知技術１を考慮すれば、特殊制御の種類のみならず、特殊制御の実行を抽選するようになすこと、すなわち、上記相違点１に係る本願発明の特定事項となすことは当業者が適宜なし得たことである。
（２）相違点２について
　ア　引用発明は、役決定結果Ｂ７が得られていた場合、フリーズが実行され、このフリーズは、全リールを一旦停止させることにより、小役５の対応図柄「赤セブン・赤セブン・赤セブン」が有効ライン２９ｂ上に揃った状態を遊技者に見せ、その後、全リールを正回転方向に回転開始させ、全リールが定速回転に達した時点で、ストップスイッチ２６ａ〜２６ｃの操作を有効化するものである。
　
　イ　そうすると、引用発明において、「赤セブン・赤セブン・赤セブン」（所定の図柄の組み合わせ）が一旦停止表示される特殊制御後の同一ゲーム内の通常制御で、役決定結果Ｂ７（特別結果）に対応する小役５の対応図柄「赤セブン・赤セブン・赤セブン」（特定の図柄の組み合わせ）が表示されることを許容し、リールに対し、適正にストップスイッチの操作（停止操作）がなされた場合に、該「赤セブン・赤セブン・赤セブン」が停止表示されることは当業者にとって自明である。
　
　ウ　してみると、引用発明において、上記相違点２に係る本願発明の特定事項となすことは当業者が容易に想到し得たことである。
（３）相違点３について
　ア　スロットマシンにおいて、遊技が単調化することを抑制するために、フリーズ等の擬似変動遊技で、同じ停止図柄を含む所定図柄の組み合わせを複数回仮停止させることは本願出願前に周知（以下「周知技術２」という。例．上記特開２０１０−１４８８４４号公報（特に上記【００８１】の記載、「【０１２１】・・・図１９（ａ）に示すように、・・・有効ライン上に２つの「赤７」図柄が並んで停止したことを通じてＢＢ当選の可能性が示唆される。・・・【０１２３】・・・図１９（ｂ）に示すように、・・・かかる停止出目により、有効ライン上に再び２つの「赤７」図柄が並んで停止したことを通じてＢＢ当選の可能性が示唆される。・・・【０１２５】・・・図１９（ｃ）に示すように、・・・かかる停止出目により、有効ライン上に三度２つの「赤７」図柄が並んで停止したことを通じてＢＢ当選の可能性が示唆される。」との記載、「【０１３１】  以上詳述した本実施の形態によれば、以下の優れた効果を奏する。【０１３２】・・・故に、遊技が単調化することを抑制することが可能となる。」との記載、図１９の記載参照。）、特許第４９２５４８６号公報（特に「【０００１】　本発明は、メダルを遊技媒体に使用するパチスロやパチンコ球を遊技媒体に使用するパチロットと称されるスロットマシン（回胴式遊技機）などの遊技機等に関する。」との記載、「【０２６８】　図１１２は、７ＲＵＳＨ演出の概要図である。・・・【０２７０】　主制御部１００は、ドラム部２を上方向に揃えて回転させ（図１１２（Ｂ）参照）、振動を続ける赤７図柄を中央一直線に揃えて停止させて、ＡＲＴ上乗せゲーム数の５０ゲームを表示する（図１１２（Ｃ）参照）。この表示は、当選した回数だけ何度も繰り返されるので、遊技者は興奮と感動を覚える。」との記載、図１１２の記載参照。）、特許第５２１２９５８号公報（特に「【０００１】  本発明は、メダルを遊技媒体に使用するパチスロやパチンコ球を遊技媒体に使用するパチロットと称されるスロットマシン（回胴式遊技機）などの遊技機等に関する。」との記載、「【０３７２】  図１１２は、７ＲＵＳＨ演出の概要図である。・・・【０３７４】  主制御部１００は、ドラム部２を上方向に揃えて回転させ（図１１２（Ｂ）参照）、振動を続ける赤７図柄を中央一直線に揃えて停止させて窓部３に表示し、ＡＲＴ上乗せゲーム数の５０ゲームを表示する（図１１２（Ｃ）参照）。この表示は、当選した回数だけ何度も繰り返されるので、遊技者は興奮と感動を覚える。」との記載、図１１２の記載参照。））である。
　イ　引用発明と周知技術２とは、特殊状態制御手段によって実行される特典が付与されることを教示する制御を実行するスロットマシンで共通するとともに、遊技が単調なものとならないようにするという課題でも共通するから、周知技術２を引用発明に適用することに十分な動機付けはある。
　そして、引用発明は、「小役５の対応図柄「赤セブン・赤セブン・赤セブン」が有効ライン２９ｂ上に揃った状態を遊技者に見せ」（特定事項ｊ）ることにより、第１の役決定結果（役決定結果Ｂ７）及びアシスト上乗せを教示しているところ、周知技術２を考慮すれば、引用発明において、特典が付与されることの教示を強調して遊技が単調なものとならないようにするために、「赤セブン・赤セブン・赤セブン」（所定の図柄の組み合わせ）を繰返し停止表示させる、言い換えれば、停止表示させる制御を複数回実行されるようになし、上記相違点３に係る本願発明の特定事項のようになすことは当業者が適宜なし得たことである。
（４）以上のとおりであるから、引用発明において、上記相違点１ないし３に係る本願発明の特定事項のようになすことは当業者が周知技術１及び２に基づいて適宜なし得たことである。
（５）本願発明の奏する効果は、引用発明の奏する効果、周知技術１及び２の奏する効果から当業者が予測することができた程度のことである。
　
（６）したがって、本願発明は、当業者が引用例１に記載された発明、周知技術１及び２に基づいて容易に発明をすることができたものである。
（７）審判請求人の主張について
　ア　審判請求人は、意見書において、概略、以下のとおり主張している。
「［３］本願発明が特許されるべき理由
（Ａ）理由１（進歩性）を解消していることについて
　審判合議体のご認定に鑑み、補正後の本願発明は第４補正事項による補正により「前記特殊状態制御手段によって実行される特典が付与されることを教示する制御は複数回実行されえる」と補正しております。
　このように構成することで、遊技者に所定の特典が付与されることを教示される所定の図柄組合せが複数回表示されることとなり、出願当初明細書の段落［０４００］などに記載している加速感や期待感をより強く感じることが可能になります。
　これに対して、引用例１に記載の遊技機は、「フリーズＢが実行される場合に、全リールを一旦停止させることにより、小役５の対応図柄「赤セブン・赤セブン・赤セブン」が有効ライン２９ｂ上に揃った状態を遊技者に見せ（【０２０６】）、「赤セブン・赤セブン・赤セブン」が揃った状態として、ダブルライン表示状態が選択された場合と、シングルライン表示状態が選択された場合とで、アシスト可能回数上乗せ抽選において決定されるアシスト上乗せ回数が変わるように設定する（【０２０８】）、フリーズ実行制御手段１０５Ａ（【０１６３】）と、
　を備え、
　第１の役決定結果（役決定結果Ｂ７）が得られていた場合には、前記フリーズＢが実行され、このフリーズＢは、操作手段９５Ａがリール回転開始操作を受け付けたことを契機として開始され、小役７の対応図柄「バー・バー・バー」が有効ライン２９ｂ上に揃っている状態から、全リール３ａ，３ｂ，３ｃを逆回転方向に回転開始させ、全リールを一旦停止させることにより、小役５の対応図柄「赤セブン・赤セブン・赤セブン」が有効ライン２９ｂ上に揃った状態を遊技者に見せ、その後、全リールを正回転方向に回転開始させ、全リールが定速回転に達した時点で、ストップスイッチ２６ａ〜２６ｃの操作を有効化する（【０２０６】）」ことなどが審判合議体のご認定通り記載されておりますが、補正後の本願発明のようにフリーズ中に複数回「赤セブン・赤セブン・赤セブン」が停止されることについては、一切記載も示唆もされておりません。
　このため、当業者であっても引用文献１から補正後の本願発明に想到することはなく、補正後の本願発明が有する本願特有の効果を奏しえることも出来ないため、引用文献１からにより進歩性がなく特許を受けることができないとする拒絶の理由は解消されているものと思料いたします。」
　
　イ　審判請求人の主張について検討する。
　上記（３）で示したとおり、スロットマシンおけるフリーズ等の擬似変動遊技において、リーチ目やチャンス目等の特定の図柄の組み合わせを複数回仮停止させることは本願出願前に周知（周知技術２）であり、且つ、該周知技術２を考慮して、引用発明の「赤セブン・赤セブン・赤セブン」（所定の図柄の組み合わせ）の仮停止表示させる制御の実行回数を複数回となすことは当業者にとって容易である。
　したがって、審判請求人の主張は、採用することができない。
６　むすび
　本願発明は、当業者が引用発明、周知技術１及び２に基づいて容易に発明をすることができたものであるから、特許法第２９条第２項の規定により特許を受けることができない。
　よって、結論のとおり審決する。